(57)【要約】【課題】上面をフイルムからなる銘板で覆う構造のスイッチ板を小型化しても、スイッチを確実にオンオフ操作することができるスイッチ板を提供する。【解決手段】上部から押圧することでオンオフ操作されるスイッチ１０，３０と、スイッチ１０，３０の上部に設置される作動型物７０，８０と、作動型物７０，８０を収納するケース９０と、可撓性を有するフイルムからなりケース９０及び作動型物７０，８０を覆ってケース９０上面に固着される銘板１１０とを具備する。作動型物７０，８０の銘板１１０に対向する側の面の一部に突起部７１，１０３を設けて突起部７１，１０３を銘板１１０に当接することで、この銘板１１０の突起部７１，１０３が当接する部分を、銘板１１０のその周囲の部分よりも突出させる。【選択図】図４
2005293890.tif 000002
【特許請求の範囲】
【請求項１】
上部から押圧することでオンオフ操作されるスイッチと、
前記スイッチの上部に設置される作動型物と、
前記作動型物を収納するケースと、
可撓性を有するフイルムからなり、前記ケース及び作動型物を覆ってケース上面に固着される銘板とを具備し、
前記作動型物の銘板に対向する側の面の一部に突起部を設けてこの突起部を銘板に当接することで、この銘板の突起部が当接する部分を、銘板のその周囲の部分よりも突出させたことを特徴とするスイッチ板。
【請求項２】
前記作動型物は、前記ケースに設けた枠体によって区画される作動型物収納部内に上下動自在に設置されており、
且つ前記銘板は前記ケースに、前記作動型物の突起部が当接する部分とその周囲を囲むケースの枠体との間に張力を持たせた状態で固着されていることを特徴とする請求項１に記載のスイッチ板。
【発明の詳細な説明】
【技術分野】
【０００１】
本発明は、その上面をフイルムからなる銘板で覆う構造のスイッチ板に関するものである。
【背景技術】
【０００２】
従来、基板に設けたスイッチ接点の上に押圧部を有するキートップを配置し、さらにその上を合成樹脂フイルム製の銘板で覆う構造のスイッチ板がある（例えば特許文献１）。
【０００３】
図６はこの種のスイッチ板５００を示す拡大概略断面図である。同図に示すようにこのスイッチ板５００は、フレキシブル基板５０１上に反転板５０３を取り付けることでスイッチ５０５を形成するとともに、前記フレキシブル基板５０１上にケース５０７を設置し、さらにケース５０７に設けた開口５０９内に上下動自在に作動型物５０９を収納することで前記反転板５０３の真上にこの作動型物５０９を配置し、さらにケース５０７の上面に前記開口５０９を覆うように可撓性を有する合成樹脂フイルムからなる銘板５１１を取り付けて構成されている。
【０００４】
そしてこのスイッチ板５００は、図７に示すように、その表面が外装ケース５３０の表面と同一面となるように、外装ケース５３０に設けた凹部５３１内に収納され、接着などによって固定される。そして図７に示すように、前記スイッチ板５００のオンしようとするスイッチ５０５の真上の銘板５１１を指５１５で押圧すれば、指５１５の腹の弾性によって銘板５１１が下方向に撓み（例えば０．３ｍｍ程度）、それにより銘板５１１の下の作動型物５０９が下降して反転板５０３が押圧され、これによって反転板５０３が反転してクリック感覚を持ってスイッチ５０５がオンする。
【０００５】
ところで近年、電気機器の小型化に伴い、この種スイッチ板５００の小型化も要望されている。しかしながら上記構造のスイッチ板５００を小型化すると、各スイッチ５０５間のピッチが小さくなってケース５０７の開口５０９の径が小さくなるばかりか、外装ケース５３０の凹部５３１の端部５３３からこれに隣接するスイッチ５０５の中央までの距離も短くなり、このため指５１５によってオンしようとするスイッチ５０５の真上の銘板５１１を押圧しても、指５１５がケース５０７の開口５０９周囲の上面や外装ケース５３０上面に当接することで、指５１５の腹の弾性が銘板５１１に伝わらず、反転板５０３を反転することができずスイッチ５０５がオンできなくなってしまうという問題が生じていた。
【特許文献１】特開２０００−１８８０３６号公報
【発明の開示】
【発明が解決しようとする課題】
【０００６】
本発明は上述の点に鑑みてなされたものでありその目的は、上面をフイルムからなる銘板で覆う構造のスイッチ板を小型化しても、スイッチを確実にオンオフ操作することができるスイッチ板を提供することにある。
【課題を解決するための手段】
【０００７】
本願請求項１に記載の発明は、上部から押圧することでオンオフ操作されるスイッチと、前記スイッチの上部に設置される作動型物と、前記作動型物を収納するケースと、可撓性を有するフイルムからなり、前記ケース及び作動型物を覆ってケース上面に固着される銘板とを具備し、前記作動型物の銘板に対向する側の面の一部に突起部を設けてこの突起部を銘板に当接することで、この銘板の突起部が当接する部分を、銘板のその周囲の部分よりも突出させたことを特徴とするスイッチ板にある。
【０００８】
本願請求項２に記載の発明は、前記作動型物は、前記ケースに設けた枠体によって区画される作動型物収納部内に上下動自在に設置されており、且つ前記銘板は前記ケースに、前記作動型物の突起部が当接する部分とその周囲を囲むケースの枠体との間に張力を持たせた状態で固着されていることを特徴とする請求項１に記載のスイッチ板にある。
【発明の効果】
【０００９】
請求項１に記載の発明によれば、作動型物の一部に設けた突起部を銘板に当接させることで、この突起が当接している部分を銘板のその周囲の部分よりも突出させたので、作動型物を銘板の上から指の腹で触った際、その感触は、触った指の腹の面全体の内の、前記突起部が当接している部分のみに硬質体が、その外周部分に弾性体が接触した感触が得られ、しかも銘板の突起部が当接している部分が突出していることを感知できる。従ってこれらのことから指は、作動型物の突起部を設けた部分、即ち作動型物の押圧すべき点を容易に見つけ出し、正確・確実に作動型物の押圧すべき部分を押圧することができ、これによって例え作動型物及びこれを収納するケースが小型化されても、確実に所望のスイッチをオンオフ操作することができる。
【００１０】
また銘板の突起が当接している部分を銘板のその周囲の部分よりも突出させたので、その突出寸法分だけスイッチの押圧ストロークが増え、スイッチの押圧操作感覚を良好にできる。
【００１１】
請求項２に記載の発明によれば、銘板をケースに、作動型物の突起部が当接する部分とその周囲を囲むケースの枠体との間に張力を持たせた状態で固着したので、銘板全体をほぼ平面状に構成できると同時に、銘板に張りがない場合に比べて、作動型物の押圧すべき点を指で容易且つ確実に感知でき、オンオフ操作できる。
【発明を実施するための最良の形態】
【００１２】
以下、本発明の実施形態を図面に基づいて詳細に説明する。図１は本発明の一実施形態にかかるスイッチ板１の分解斜視図、図２はスイッチ板１の組立方法説明図、図３はスイッチ板１の斜視図、図４はスイッチ板１の断面拡大図である。図１に示すようにスイッチ板１は、下記する二段スイッチ１０及び一段スイッチ３０を形成したフレキシブル基板４０と、前記二段スイッチ１０の上部に設置される第一の作動型物７０と、前記第一の作動型物７０を収納すると共に第二の作動型物８０を予め収納（内蔵）してなるケース９０と、前記ケース９０の上面を覆う銘板１１０と、を具備して構成されている。以下各構成部品について説明する。
【００１３】
フレキシブル基板４０は、可撓性を有する略長方形状の合成樹脂フイルム（例えばポリエチレンテレフタレート（ＰＥＴ）フイルム）４１上に形成した三つのスイッチ接点パターン４３，４５，４７上に、それぞれ反転板４９，５１，５３を貼り付けることでスイッチ部４４，４６，４８を構成し、さらに反転板５１上に押圧シート５４を貼り付けて構成されている。なお反転板４９と反転板５１の反転時に必要な押圧力は、異ならせており、この実施形態では反転板４９の方を反転板５１よりも弱い押圧力で反転するようにしている（反対でも良い）。
【００１４】
ここでフレキシブル基板４０は、長方形状であってスイッチ接点パターン４５とスイッチ接点パターン４７とを設けた基部５５と、基部５５の短手方向の幅寸法よりも小さい幅寸法の帯状の連結部５７を介して連結される可動部５９と、基部５５の長手方向の一側辺の略中央から突出する引出部６１とを具備している。可動部５９は略矩形状であり、前記基部５５の短手方向の幅寸法よりも小さく、且つ連結部５７の短手方向の幅寸法よりも大きい幅寸法に形成され、且つその長手方向に沿う両側辺の中央部は前記反転板４９が載置できるように円弧状に突出している。そして基部５５のスイッチ接点パターン４７を設けた側の端部近傍と、両スイッチ接点パターン４５，４７との間には、下記するケース９０の係合部１０８，１０９を挿入する係止孔６３，６５が設けられている。また各スイッチ接点パターン４３，４５，４７は、円形の中央接点パターンａ１とその周囲をコ字状に囲む外周接点パターンａ２とによって構成されており、図示はしていないが、何れのスイッチ接点パターン４３，４５，４７からも回路パターンが引き出されて引出部６１に導かれている。また反転板４９，５１，５３は、何れも弾性金属板を押圧方向に対向して膨出するドーム形状に成形して構成されている。
【００１５】
押圧シート５４は合成樹脂フイルム（例えばＰＥＴフイルム）や不織布等のシートを、反転板５１よりも小径の円板状に形成して構成されており、その下面には接着層が設けられている。
【００１６】
次に第一の作動型物７０は、薄板状の合成樹脂成形品であり、その外形形状は、前記フレキシブル基板４０の可動部５９の外形形状と略同一寸法形状に、即ち略矩形状で且つその長手方向に沿う両側辺の中央部を円弧状に突出して構成されている。第一の作動型物７０の上面中央には、上方向に円柱状に突出する小突起からなる突起部７１が設けられている。また第一の作動型物７０の下面はその全面が平面状に形成されている。
【００１７】
ケース９０は合成樹脂を略長方形状（その両端辺を円弧状）に成形して構成されており、その外形形状は前記フレキシブル基板４０の外形形状とほぼ同一に形成されている。そして前記フレキシブル基板４０のスイッチ接点パターン４５に対向する位置には作動型物収納部９１が設けられ、スイッチ接点パターン４７に対向する位置には作動型物収納部９３が設けられている。言い換えれば、ケース９０は、その外周を囲む外周枠体９０ａの内部を複数（この実施形態では二つ）に仕切るように内部枠体９０ｂを設けることで構成されている。作動型物収納部９１は上下に貫通する貫通孔であって、その形状は前記第一の作動型物７０と略同一の形状であり、この第一の作動型物７０を水平のまま独立して上下動自在にガイドする形状に形成されている。つまり第一の作動型物７０の外形形状よりも少し大きい略矩形状であって、その長手方向に沿う両側辺の中央部を円弧状に突出して構成されている。また作動型物収納部９１の一端部（前記フレキシブル基板４０の連結部５７側）には、連結部５７を収納する連結部収納部９５が設けられている。連結部収納部９５の幅は連結部５７の幅よりも若干大きい幅寸法に形成されている。
【００１８】
作動型物収納部９３は前記作動型物収納部９１と略同一の形状を有し、その内側壁から作動型物収納部９３の内側方向に向けて突出するヒンジ部９７の先端に円板状の第二の作動型物８０を設け、さらに作動型物収納部９３の内部を覆う補強板部１０７を設けて構成されている。ヒンジ部９７は薄板帯状に形成されており、作動型物８０を作動型物収納部９３内においてケース９０に連結している。第二の作動型物８０は作動型物収納部９３の略中央に位置し、薄板円板状の基部１０１の上面中央に小突起状の突起部１０３を設け、また基部１０１の下面中央の前記突起部１０３に対向する位置にも小突起状の押圧操作部１０５（図４参照）を設けている。補強板部１０７は作動型物収納部９３の内側壁の略全体に連結された薄板によって構成されており、前記第二の作動型物８０の基部１０１とヒンジ部９７の部分を除く作動型物収納部９３全体を覆うように構成されている。この補強板部１０７は、小型でしかも二つの作動型物収納部９１，９３を設けることでその機械的強度が弱くなるケース９０を補強するために設けられている。またケース９０の下面の前記フレキシブル基板４０に設けた係止孔６３，６５に対向する位置には、これら係止孔６３，６５に挿入される突起状の係合部１０８，１０９（図４参照）が設けられている。
【００１９】
銘板１１０は可撓性を有する合成樹脂フイルム（例えばＰＥＴフイルム）製であり、前記ケース９０の外形形状と略同一外形形状、即ち略長方形状でその両端辺を円弧状に形成した外形形状に構成されている。そしてその上面には図示しない所望の外装用の印刷が施されている。
【００２０】
なお図１において、フレキシブル基板４０の下面側に配置されているのは両面接着シート１２０であり、またケース９０と銘板１１０の間に設置されているのも両面接着シート１３０であり、第一の作動型物７０の下面側に設置されているのも両面接着シート１４０である。両面接着シート１２０は、合成樹脂や不織布等のシートの両面に接着層を設けた構成であり、ケース９０の外形形状と略同一の外形形状、すなわち略長方形状でその両端辺を円弧状に形成した外形形状に構成されており、フレキシブル基板４０に設けた係止孔６３，６５に対向する位置にそれぞれそれらよりも大きい径の係止孔１２１，１２３を設けている。両面接着シート１２０の下面には、図示はしないがこのスイッチ１を電子機器に貼り付ける際に剥がす紙又は合成樹脂フイルム等からなるセパレートシートが貼り付けられている。また両面接着シート１３０は、合成樹脂や不織布等のシートの両面に接着層を設けた構成であり、ケース９０の外形形状と略同一の外形形状、すなわち略長方形状でその両端辺を円弧状に形成した外形形状であって、ケース９０の二つの作動型物収納部９１，９３に対向する部分に、これら作動型物収納部９１，９３と同一形状の貫通孔１３１，１３３を設けて構成されている。両面接着シート１４０は、合成樹脂や不織布等のシートの両面に接着層を設けた構成であり、第一の作動型物７０の外形形状と略同一の外形形状に構成されている。
【００２１】
そしてこのスイッチ板１を組み立てるには、まずフレキシブル基板４０の各スイッチ接点パターン４３，４５，４７の上に、それぞれ反転板４９，５１，５３を図示しない粘着テープ等によって貼り付ける。このときドーム形状に形成された各反転板４９，５１，５３の外周辺は各スイッチ接点パターン４３，４５，４７の外周接点パターンａ２に当接し、一方各反転板４９，５１，５３の押圧方向に対向して膨出する部分の中央下面と中央接点パターンａ１とは所定距離離間する。次に中央の反転板５１の膨出している上面中央部分に押圧シート５４を貼り付ける。
【００２２】
次に反転板４９を貼り付けた可動部５９を反転板５１を貼り付けたスイッチ部４６の上に連結部５７を折り曲げることで重ね合わせる。次に図２に示すように、重ね合わせた可動部５９の上面（即ち反転板４９を貼り付けた面の反対側の面）に両面接着シート１４０によって第一の作動型物７０の下面を貼り付ける。なお第一の作動型物７０の可動部５９への貼り付けは、可動部５９をスイッチ部４６の上に折り返す前に行っても良いことはいうまでもない。そしてフレキシブル基板４０の下面に両面接着シート１２０を貼り付ける。
【００２３】
一方前記ケース９０の上面に両面接着シート１３０によって銘板１１０を貼り付ける。このとき第二の作動型物８０の突起部１０３の上端面（銘板１１０側を向く面）は、銘板１１０の下面に当接し、銘板１１０を少し上方向に押し上げている。
【００２４】
次にフレキシブル基板４０上に前記銘板１１０を貼り付けたケース９０を載置し、そのときケース９０の下面から突出する二本の係合部１０８，１０９（図４参照）をフレキシブル基板４０に設けた係止孔６３，６５に挿入する。このとき第一の作動型物７０の突起部７１の上端面（銘板１１０側を向く面）は、銘板１１０の下面に当接し、銘板１１０を少し上方向に押し上げる。そして係合部１０８，１０９の先端をフレキシブル基板４０の下面側で熱カシメすれば、図３に示すスイッチ板１が完成する。なお上記組み立て手順に種々の変更が可能であることはいうまでもない。
【００２５】
以上のようにして組み立てられたスイッチ板１は、図４に示すように、二組のスイッチ部４４，４６上に取り付けた二組の反転板４９，５１を押圧シート５４を介して対向設置することで構成される二段スイッチ１０と、スイッチ部４８によって構成される一段スイッチ３０とを具備し、ケース９０に設けた枠体９０ａ，９０ｂによって区画される作動型物収納部９１，９３内に前記二段スイッチ１０と一段スイッチ３０とを設置すると共に、これら作動型物収納部９１，９３内の前記二段スイッチ１０と一段スイッチ３０の上部にそれぞれ第一，第二作動型物７０，８０を上下動自在に収納し、さらに前記ケース９０及び第一，第二作動型物７０，８０を覆うようにケース９０の上面、つまり枠体９０ａ，９０ｂの上面に銘板１１０を固着（本実施形態では接着）して構成されている。
【００２６】
そして図４に示すように、銘板１１０は、銘板１１０の突起部７１が当接する部分を、銘板１１０のその周囲の部分よりも少し（寸法ｔ１分）突出するように構成され、同時に第一の作動型物７０の突起部７１が当接する部分とその周囲を囲むケース９０の枠体９０ａ，９０ｂとの間に張力を持たせた状態で固着されている。同様に銘板１１０は、銘板１１０の突起部１０３が当接する部分を、銘板１１０のその周囲の部分よりも少し（寸法ｔ２分、なおｔ１≒ｔ２）突出するように構成され、同時に第二の作動型物８０の突起部１０３が当接する部分とその周囲を囲むケース９０の枠体９０ａ，９０ｂとの間に張力を持たせた状態で固着されている。なお図４からも分かるように、第一の作動型物７０の上面中央に設けた突起部７１は、二段スイッチ１０の中心の真上（二つのスイッチ部４４，４６の中心の真上）、即ち二段スイッチ１０を押圧するのに最も最適な位置の真上の位置に位置するように設けられている。同様に、第二の作動型物８０の上面中央に設けた突起部１０３は、一段スイッチ３０の中心の真上（スイッチ部４８の中心の真上）、即ち一段スイッチ３０を押圧するのに最も最適な位置の真上の位置に位置するように設けられている。
【００２７】
そしてこのスイッチ板１は、例えば図５（ａ）に示すように、外装ケース１５０の表面に設けた薄い（スイッチ板１と略同一厚みの）凹部１５１内に収納され、前記両面接着シート１２０によって凹部１５１の底面に接着され固定されて使用される。
【００２８】
そして図５（ｂ）に示すように、作動型物収納部９１上の銘板１１０を指５１５の腹で押圧すれば（矢印Ｃ１）、銘板１１０が撓んで下降し、これによって図５（ｃ）に示すように、第一の作動型物７０が下降することで、まず上側の反転板４９が反転してそのスイッチ部４４がオンし、さらに銘板１１０を押圧すれば、さらに銘板１１０が撓んで下降し、これによって図５（ｄ）に示すように、第一の作動型物７０がさらに下降することで、下側の反転板５１も反転してそのスイッチ部４６がオンする。前記押圧を解除していけば、下側のスイッチ部４６、上側のスイッチ部４４の順番にオフしていく。
【００２９】
ところでこの実施形態においては前述のように、第一の作動型物７０の一部（中央、即ちスイッチ部４４，４６の真上の位置）に設けた突起部７１を銘板１１０に当接させることで、銘板１１０の突起部７１が当接している部分を銘板１１０のその周囲の部分よりも上方向に若干突出させたので、第一の作動型物７０を銘板１１０の上から指５１５の腹で触った際、その感触は、触った指５１５の腹の面全体の内の、前記突起部７１が当接している部分のみに突起部７１による硬質体の感触が、その外周部分に第一の作動型物７０から浮いた銘板１１０のみの弾性体の感触が得られ、しかも銘板１１０の突起部７１が当接している部分が突出していることを感知できる。従ってこれらのことから指５１５は、第一の作動型物７０の突起部７１を設けた部分、即ち第一の作動型物７０の押圧すべき点を容易に見つけ出し、正確・確実に第一の作動型物７０の押圧すべき部分を押圧することができ、確実に所望のスイッチ部４４，４６をオンオフ操作することができる。
【００３０】
一方第二の作動型物８０においても前記第一の作動型物７０と同様に、その一部（中央、即ちスイッチ部４８の真上の位置）に設けた突起部１０３を銘板１１０に当接させることで、銘板１１０の突起部１０３が当接している部分を銘板１１０のその周囲の部分よりも上方向に若干突出させたので、第二の作動型物８０を銘板１１０の上から指５１５の腹で触った際、その感触は、触った指５１５の腹の面全体の内の、前記突起部１０３が当接している部分のみに突起部１０３による硬質体の感触が、その外周部分に第二の作動型物８０から浮いた銘板１１０のみの弾性体の感触が得られ、しかも銘板１１０の突起部１０３が当接している部分が突出していることを感知できる。従ってこれらのことから指５１５は、第二の作動型物８０の突起部１０３を設けた部分、即ち第二の作動型物８０の押圧すべき点を容易に見つけ出し、正確・確実に第二の作動型物８０の押圧すべき部分を押圧することができ、確実に所望のスイッチ部４８をオンオフ操作することができる。
【００３１】
以上のことから分かるように、例え第一，第二の作動型物７０，８０及びこれらを上下動自在に収納するケース９０が小型化されて二段スイッチ１０と一段スイッチ３０間のピッチが小さくなってケース９０の作動型物収納部９１，９３の径（開口径）が小さくなり、また外装ケース１５０の凹部１５１の端部１５３，１５５（図５（ａ）参照）からこれに隣接する二段スイッチ１０と一段スイッチ３０の中央までの距離が短くなり、これらのことから指５１５によってオンしようとするスイッチ１０又は３０の真上の銘板５１１を押圧した際に、指５１５がケース９０の作動型物収納部９１，９３周囲の上面（枠体９０ａ，９０ｂの上面）や外装ケース１５０上面に当接することで、指５１５の腹が作動型物収納部９１，９３内に殆ど入り込まなくなった場合でも、スイッチ１０，３０をオンオフ操作することが可能となる。
【００３２】
また銘板１１０の突起部７１，１０３が当接している部分を銘板１１０のその周囲の部分よりも突出させたので、その突出寸法分だけスイッチ１０，３０の押圧ストロークが増え、スイッチ１０，３０の押圧操作感覚を良好にできる。同時に本実施形態では、銘板１１０が予め上方向に少し撓んで突出しているので、銘板１１０が平面状に設置されている場合に比べ、押圧ストロークが同一であれば、この銘板１１０を押し下げた際に銘板１１０が下方向に突出するように撓む撓み量は少なくて済み、その分銘板１１０を押圧する押圧力（テンション）を小さくでき、押圧操作を容易に行うことができる。特にこの実施形態のように二段スイッチ１０を設けている場合はその分押圧ストロークが長いのでその効果は大きい。
【００３３】
またこの実施形態においては、銘板１１０をケース９０に、第一，第二作動型物７０，８０の突起部７１，１０３が当接する部分とその周囲を囲むケース９０の枠体９０ａ，９０ｂとの間に張力を持たせた状態で固着しているので、銘板１１０全体をほぼ平面状に構成できると同時に、銘板１１０に張りがない場合に比べて、第一，第二作動型物７０，８０の押圧すべき点を指で容易且つ確実に感知でき、オンオフ操作できる。
【００３４】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記突起部７１，１０３の形状・構造は上記実施形態のものに限定されず、多角柱形状等、種々の変形が可能である。また上記実施形態では第一の作動型物７０を、ケース９０の作動型物収納部９１内に独立して上下動自在に収納したが、その代わりに、第二の作動型物８０と同様に、ヒンジによってケース９０に連結する構造としても良い。逆に第二の作動型物８０を作動型物収納部９３内に独立して上下動自在に収納してもよい。また上記実施形態においては、スイッチ部４４，４６，４８を、スイッチ接点パターン４３，４５，４７上に反転板４９，５１，５３を貼り付けた構造に構成したが、その代わりに、二枚のフレキシブル基板を重ね合わせ、両者の対向する側の面に所定の隙間を介して一対の接点パターンを対向設置してなる、いわゆるメンブレン構造のスイッチを用いても良い。その際一方の接点パターンの反対側の面に反転板を取り付けた構造（即ち反転板をクリック板として用いた構造）としてもよい。
【図面の簡単な説明】
【００３５】
【図１】本発明の一実施形態にかかるスイッチ板１の分解斜視図である。
【図２】スイッチ板１の組立方法説明図である。
【図３】スイッチ板１の斜視図である。
【図４】スイッチ板１の断面拡大図である。
【図５】スイッチ板１の操作説明図である。
【図６】従来のスイッチ板５００を示す拡大概略断面図である。
【図７】スイッチ板５００の操作説明図である。
【符号の説明】
【００３６】
１  スイッチ板
１０  二段スイッチ（スイッチ）
３０  一段スイッチ（スイッチ）
４０  フレキシブル基板
４１  合成樹脂フイルム
４３，４５，４７  スイッチ接点パターン
４４，４６，４８  スイッチ部
４９，５１，５３  反転板
７０  第一の作動型物（作動型物）
７１  突起部
８０  第二の作動型物（作動型物）
９０  ケース
９０ａ  外周枠体（枠体）
９０ｂ  内部枠体（枠体）
９１，９３  作動型物収納部（開口）
９７  ヒンジ部
１０１  基部
１０３  突起部
１０５  押圧操作部
１０７  補強板部
１１０  銘板
１２０，１３０，１４０  両面接着シート
【図１】
2005293890.tif 000003
【図２】
2005293890.tif 000004
【図３】
2005293890.tif 000005
【図４】
2005293890.tif 000006
【図５】
2005293890.tif 000007
【図６】
2005293890.tif 000008
【図７】
2005293890.tif 000009